(57)【特許請求の範囲】
【請求項１】
乳幼児の身体の背側にあてがわれるときには背側布部になり、また、前記乳幼児の身体の腹側にあてがわれるときには、前記背側布部の横幅よりも幅狭に調節して、その調節状態を調節保持部によって維持する腹側布部になる背腹共通布部と、
前記背腹共通布部の上部に一端が固着され、親側の肩に回すだけの距離に他端を前記背腹共通布部の側部に固着してなる一対の肩ベルト部と、
前記背腹共通布部の下部と一体化し、少なくとも前記一体化した布部の下部と共に親側の腰回りに配設する腰ベルト部と、
前記背腹共通布部を幅狭に調節するとき、その調節した調節布を収容するために設けた格納部と
を具備することを特徴とするベビーキャリア。
【請求項２】
乳幼児の身体の背側にあてがわれるとき背側布部になり、前記乳幼児の身体の腹側にあてがわれるとき、その一部を左右から調節して、その調節保持部によって調節状態を維持し、前記背側布部の横幅よりも幅狭にする腹側布部になる背腹共通布部と、
前記背腹共通布部の上部に一端が固着され、親側の肩に回すだけの距離に他端を前記背腹共通布部の下部側に固着してなる一対の肩ベルト部と、
前記背腹共通布部の下部と一体化し、前記肩ベルト部の他端に連結される補助布部と、
前記背腹共通布部を幅狭に調節するとき、その調節した調節布を収容するために設けた格納部と
を具備することを特徴とするベビーキャリア。
【発明の詳細な説明】
【技術分野】
【０００１】
本発明は、乳幼児の前向きおんぶまたは後ろ向きおんぶし、または、乳幼児と向かい合う対面抱っこ、乳幼児の向きを逆にする前向き抱っこ等で、それを補助するためのベビーキャリアに関するものである。
【背景技術】
【０００２】
この種のベビーキャリアについて、例を挙げて説明すると、特許文献１の発明を挙げることができる。即ち、特許文献１のベビーキャリアは、乳幼児の身体にあてがう本体部と、この本体部の上下方向に架け渡された左右の肩ベルトと、前記肩ベルトの下部領域にスライド自在に取付けられて左右の肩ベルト間の距離を規制する下部規制帯とを備えている。
抱っこのときは、下部規制帯を肩ベルトの下部領域の上方にスライドさせ、本体部を使用者の胸側に装着すると、前記下部規制帯は使用者の背中に位置することとなり、左右の肩ベルトの間隔を規制し、肩ベルトの肩落ちを防止できる。また、おんぶのときは、下部規制帯を下方にスライドしておけば邪魔にならず、支障なくおんぶすることができる。また、前記下部規制帯をスライドさせるという、簡単な操作で抱持方法に適した状態にすることができる。
なお、左右の肩ベルトは常に平行であり分離可能とする必要がなく、肩ベルトの両端を本体部に固着できる。
【先行技術文献】
【特許文献】
【０００３】
【特許文献１】特開２００９−１７８３８９号公報
【発明の概要】
【発明が解決しようとする課題】
【０００４】
特許文献１のベビーキャリアによれば、上部規制帯により肩ベルトの上部領域における肩ベルト間隔が規制され、乳幼児の胸回りの余分な緩みが無くなり、その収容空間が規制されるので、乳幼児をおんぶしたり、抱っこしたりするときの安定性が高められ、おんぶ時の肩ベルトのずり落ち防止が期待できるものである。
【０００５】
しかし、特許文献１のベビーキャリアは、乳幼児をおんぶしたり、抱っこしたりするとき、ベビーキャリアを身につける親と乳幼児とが会い向き合うことが前提となっている。
即ち、特許文献１の図１に示すように、背当て部は臀部表面を覆うため広い寸法となっており、股当て部は開脚が自然なように狭い寸法となっている。
そのため、ベビーキャリアには乳幼児をおんぶしたり、抱っこしたりするときの方向性が決まっていた。しかし、種々のベビーキャリアが市場にでてきてから、乳幼児をおんぶしたり、抱っこしたりする乳幼児の方向性も多様化してほしいというニーズがあった。
【０００６】
そこで、本発明は、乳幼児を抱いたり、おんぶしたりする際に、その親と乳幼児の向きの関係を拘束することなく、それを補助することができるベビーキャリアの提供を課題とするものである。
【課題を解決するための手段】
【０００７】
請求項１の発明にかかるベビーキャリアの背腹共通布部は、乳幼児の身体の背側にあてがわれるときには背側布部になり、前記乳幼児の身体の腹側にあてがわれるときには前記背側布部の横幅よりも幅狭になり、その幅狭状態を調節保持部によって維持する。また、一対の肩ベルト部は、前記背腹共通布部の上部に一端が固着され、親側の肩に回すだけの距離に他端を前記背腹共通布部の側部に固着してなる。そして、腰ベルト部は、前記背腹共通布部の下部と一体化し、少なくとも前記一体化した布部の下部と共に親側の腰回りに配設する。
ここで、上記背腹共通布部は、乳幼児の身体の背側にあてがわれるときには背側布部となり、広い面積で臀部を覆うものである。また、前記乳幼児の身体の腹側にあてがわれるときには、腹側布部によって前記背側布部の横幅よりも幅狭に変化し、その幅狭状態を調節保持部によって維持する。
また、上記一対の肩ベルト部は、前記背腹共通布部の上部に一部が固着され、親側の肩に回して他部を前記背腹共通布部の側部に固着されるものである。ここで、前記背腹共通布部の側部とは、上部から下部までのいずれの位置でもよい。
そして、上記腰ベルト部は、前記背腹共通布部の下部を一体化し、前記背腹共通布部の下部と共に一体化した親の腰回りに配設するベルトであり、乳幼児の体重を支えるものである。
更に、前記背腹共通布部を幅狭に調節するとき、その調節した調節布を収容する格納部を補助布部または腰ベルト部に設けたものである。
ここで、調節布は、折り畳みでもよいし、切り離しでもよい。それらの調節布が収納部に収納できるものであればよい。
【０００８】
請求項２の発明にかかるベビーキャリアの背腹共通布部は、乳幼児の身体の背側にあてがわれるとき背側布部になり、前記乳幼児の身体の腹側にあてがわれるとき、その一部を左右から調節して、その調節保持部によって調節状態を維持し、前記背側布部の横幅よりも幅狭にする腹側布部になる。また、一対の肩ベルト部は、前記背腹共通布部の上部に一端が固着され、親側の肩に回すだけの距離に他端を前記背腹共通布部の下部側に固着してなる。そして、補助布部は、前記背腹共通布部の下部と一体化し、前記肩ベルト部の他端に連結される。
ここで、上記背腹共通布部は、乳幼児の身体の背側にあてがわれるときには背側布部となり、広い面積で臀部を覆うものである。また、前記乳幼児の身体の腹側にあてがわれるときには、腹側布部によって前記背側布部の横幅よりも幅狭に変化し、その幅狭状態を調節保持部によって維持する。
また、上記一対の肩ベルト部は、前記背腹共通布部の上部に一端が固着され、親側の肩に回すだけの距離長とし、他端を前記背腹共通布部の下部側に固着してなるものである。
そして、上記補助布部は、前記背腹共通布部の下部と共に一体化してベビーキャリア全体の機械的強度を増加させ、かつ、肩ベルト部に加わる力を分散をするもので、乳幼児の体重をバランスよく受けるものである。また、上記補助布部を介して前記肩ベルト部の他端に連結したとき、前記背腹共通布部との接続強度が安定化されるものである。
更に、前記背腹共通布部を幅狭に調節するとき、その調節した調節布を収容する格納部を補助布部または腰ベルト部に設けたものである。
ここで、調節布は、折り畳みでもよいし、切り離しでもよい。それらの調節布が収納部に収納できるものであればよい。
【発明の効果】
【０００９】
請求項１の発明にかかるベビーキャリアの背腹共通布部は、乳幼児の身体の背側にあてがわれるときには背側布部になり、また、前記乳幼児の身体の腹側にあてがわれるときには、前記背側布部の横幅よりも幅狭に調節して、その調節状態を調節保持部によって維持する腹側布部になる。即ち、前記背腹共通布部は、前記背側布部と前記腹側布部の機能を有する。そして、一対の肩ベルト部は、前記背腹共通布部の上部に一端が固着され、親側の肩に回すだけの距離をもって他端を前記背腹共通布部の側部に固着してなる。また、腰ベルト部は、前記背腹共通布部の下部と一体化し親側の腰回りに配設する。
したがって、乳幼児を抱いたり、おんぶしたりする際に、その親と乳幼児の向きの関係は、常に乳幼児の前側に背腹共通布部の腹側布部が、乳幼児の後側に背腹共通布部の背側布部が位置し、通常、水平方向に幅狭に形成されている腹側布部から、ベビーキャリアから乳幼児の脚を容易に出すことができるので、乳幼児の体形に合った抱っこやおんぶの補助ができ、親が気付き難い乳幼児にかかる負担を軽減できる。また、特に、親側の肩に回して固着される一対の肩ベルト部及び親側の腰回りに配設する腰ベルト部によって、一対の肩ベルト部と腰ベルト部によって乳幼児の体重をかけることができ、乳幼児の体重を肩ベルト部と腰ベルト部に分散でき、親の肩に加わる負担を軽減できる。
更に、前記背腹共通布部を幅狭に調節するとき、その調節した調節布を収容する格納部を設けたものであるから、使用しない背腹共通布部の背側布部は格納部を設けることにより、デザイン性及び乳幼児の安全性を高めることができる。
【００１０】
請求項２の発明にかかるベビーキャリアの背腹共通布部は、乳幼児の身体の背側にあてがわれるときには背側布部になり、また、前記乳幼児の身体の腹側にあてがわれるときには、前記背側布部の横幅よりも幅狭に調節して、その調節状態を調節保持部によって維持する腹側布部になる。即ち、前記背腹共通布部は、前記背側布部と前記腹側布部の機能を有する。そして、一対の肩ベルト部は、前記背腹共通布部の上部に一端が固着され、親側の肩に回すだけの距離を経て他端を前記背腹共通布部の下部側に固着してなり、また、補助布部は、前記背腹共通布部の下部と一体化し、前記肩ベルト部の他端に連結されるものである。
したがって、乳幼児を抱いたり、おんぶしたりする際に、その親と乳幼児の向きの関係は、常に乳幼児の前側に背腹共通布部の腹側布部が、乳幼児の後側に背腹共通布部の背側布部が位置し、水平方向に幅狭に形成されている腹側布部から乳幼児の脚がベビーキャリアから容易に出すことができるので、乳幼児の体形に合った抱っこやおんぶの補助ができ、親が気付き難い乳幼児にかかる負担を軽減できる。
また、前記背腹共通布部と共に一体化された補助布部を設けているから、その補助布部を介して前記肩ベルト部の他端に連結することができる。このように、補助布部を介して前記肩ベルト部の他端に連結したとき、前記背腹共通布部の接続強度が安定化される。また、一対の肩ベルト部を堅固に取付けることができ、また、肩ベルト部に加わる力の分散ができるから、乳幼児の体重をバランスよく受けることができる。
更に、前記背腹共通布部を幅狭に調節するとき、その調節した調節布を収容する格納部を設けたものであるから、使用しない背腹共通布部の背側布部は格納部を設けることにより、デザイン性及び乳幼児の安全性を高めることができる。
【図面の簡単な説明】
【００１１】
【図１】図１は本発明の各実施の形態１にかかるベビーキャリアの親側からみた正面図（ａ）、反親側からみた正面図（ｂ）である。
【図２】図２は本発明の実施の形態１にかかるベビーキャリアの背側布部を外して腹側布部のみとする過程を示す全体の使用する直前の展開を示す全体説明図で、背側布部の取り外した状態を示す説明図（ａ）及び収納状態を示す説明図（ｂ）である。
【図３】図３は本発明の実施の形態１にかかるベビーキャリアの使用状態を示す親と相向き合いの抱っこ状態を説明する説明斜視図（ａ）、親に背を向けた抱っこ状態を説明する説明斜視図（ｂ）である。
【図４】図４は本発明の実施の形態１にかかるベビーキャリアの使用状態を示す親と相向き合いの抱っこ状態の説明斜視図（ａ）、親に背を向けた抱っこ状態の説明斜視図（ｂ）である。
【図５】図５は本発明の実施の形態１にかかるベビーキャリアの使用状態を示す親側を見たおんぶ状態の説明斜視図（ａ）、親に背を向けたおんぶ状態の説明斜視図（ｂ）である。
【図６】図６は本発明の参考例１にかかるベビーキャリアの親側からみた正面図（ａ）、反親側からみた正面図（ｂ）である。
【図７】図７は本発明の参考例１にかかるベビーキャリアの背側布部を外して腹側布部のみとする過程を示す全体の使用する直前の展開を示す全体説明図で、背側布部の取り外した状態を示す説明図（ａ）及び収納状態を示す説明図（ｂ）である。
【図８】図８は本発明の参考例１にかかるベビーキャリアの使用状態を示す親と相向き合いの抱っこ状態を説明する説明斜視図（ａ）、親に背を向けた抱っこ状態を説明する説明斜視図（ｂ）である。
【図９】図９は本発明の実施の形態２にかかるベビーキャリアの親側からみた正面図（ａ）、図９は本発明の参考例１の変形例にかかるベビーキャリアの親側からみた正面図（ｂ）である。
【図１０】図１０は本発明の参考例２にかかるベビーキャリアの親側からみた正面図（ａ）、反親側からみた正面図（ｂ）である。
【図１１】図１１は本発明の参考例２にかかるベビーキャリアの腹側布部のみとする過程を示す全体の使用する直前の展開を示す全体説明図で、調節布の一方を折曲げた状態を示す説明図（ａ）及び調節布の両方を折曲げた状態を示す説明図（ｂ）である。
【図１２】図１２は本発明の参考例２にかかるベビーキャリアの使用状態を示す親と相向き合いの抱っこ状態を説明する説明斜視図（ａ）、親に背を向けた抱っこ状態を説明する説明斜視図（ｂ）である。
【図１３】図１３は本発明の実施の形態３にかかるベビーキャリアの親側からみた正面図（ａ）、反親側からみた正面図（ｂ）である。
【図１４】図１４は本発明の実施の形態３にかかるベビーキャリアの腹側布部のみとする過程を示す全体の使用する直前の展開を示す全体説明図で、調節布の一方を折曲げた状態を示す説明図（ａ）及び調節布の両方を折曲げて収納した状態を示す説明図（ｂ）である。
【図１５】図１５は本発明の実施の形態３にかかるベビーキャリアの使用状態を示す親と相向き合いの抱っこ状態を説明する説明斜視図（ａ）、親に背を向けた抱っこ状態を説明する説明斜視図（ｂ）である。
【発明を実施するための形態】
【００１２】
以下、本発明の実施の形態について、図を用いて説明する。なお、図中、各実施の形態及び参考例において同一記号及び同一符号は、同一または相当する部分であるから、ここでは重複する説明を省略する。
【００１３】
［実施の形態１］
図１乃至図５に示すように、本実施の形態１にかかるベビーキャリアにおいて、乳幼児Ｂを抱っこしたり、おんぶしたりしたとき、乳幼児Ｂの身体に対し親Ｍ側の反対側、即ち、乳幼児Ｂの腹側にあてがわれるベビーキャリアの腹側布部１０は、乳幼児Ｂの身体の反親Ｍ側にあてがわれるものであり、図示しない公知の芯材の周囲に緩衝材及び弾性材を配設し、その表面をデザイン的に処理してなるものである。その表生地と裏生地との間または乳幼児Ｂ側または全体を特定の厚みの空気層を形成してなる立体編物（ダブルラッシェル）とすることもできる。なお、図中の白抜き矢印は、乳幼児の向きを示す。
【００１４】
なお、上記立体編物は、片面が所定の開口の網目の表生地で、反対側の面も所定の開口の網目の裏生地である。織布本体の端面に見える連結糸は、表生地と裏生地との厚みの間隔を設定する。本実施の形態にかかる対向するフロント側に位置する表生地またはバック側に位置する裏生地は、必要に応じて任意に網目、網模様が決定できる。なお、ここで、表生地、裏生地とは、説明を平易にするものであり、前側が表生地、後側が裏生地に特定されるものではない。この立体編物の商品は、旭化成株式会社から「フュージョン（商標名）」、また、帝人興産から「エアクィーン（商標名）」等として販売されているので、ここでは仔細な説明を省略する。
【００１５】
腹側布部１０の下部に縫い付けられた腰ベルト部２０は、母親等の親Ｍの腰にベルト２３を巻いて、その端部に配設されているバックルの連結差込具２１及び連結受具２２を連結係合させることによって、親の腰回りに固定され、人為的にバックルの連結差込具２１と連結受具２２との連結係合を解かない限り外れなくなっている。したがって、腰ベルト部２０のベルト２３は、可撓性があり、腹側布部１０の下部で乳幼児Ｂの体重の多くを保持するので、強度的に耐えられるものであり、かつ、力（乳幼児Ｂの体重）の分散が行われる形態として形成されている。
【００１６】
背側布部３０は、腹側布部１０の下部で一体に取付けられ、自由端が上方に延び、腹側布部１０と分離され、図示しない公知の芯材の周囲に緩衝材及び弾性材を配設し、その表面をデザイン的に処理してなるものである。その表生地と裏生地との間または乳幼児Ｂ側または全体を特定の厚みの空気層を形成してなる立体編物を設けることもできる。背側布部３０の基本的構造は腹側布部１０と相違するものではないが、機械的には、腹側布部１０の方が背側布部３０よりも強く形成されている。
【００１７】
特に、図１及び図２に示すように、所定の厚みを有する背側布部３０の上部に一対の帯状体３１を介してバックルの連結差込具３２が配設されていて、腹側布部１０に一対の帯状体１１を介して配設されている一対のバックルの連結受具１２との連結係合がなされており、腹側布部１０と背側布部３０が一体となっている。
ここで、上記乳幼児Ｂの身体にあてがわれる腹側布部１０及び背側布部３０は、乳幼児Ｂの後頭部から背中、臀部までを支持する適当な弾性及び可撓性を有する材料からなる乳幼児Ｂを保護する部材である。
【００１８】
なお、本実施の形態１における背側布部３０は、図１及び図２に示すように、腹側布部１０の下部に縫製され、上方に延びた辺が自由端となっており、腹側布部１０に対向する反対側に位置する背側布部３０となっている。このとき、本実施の形態１にかかるベビーキャリアには、腹側布部１０の下部に直接縫い付けるか、固着具で固着等により取付けられ、上方が開口されるように延びている。機械的強度は、腹側布部１０に乳幼児Ｂの全ての重量を負担させることができるようしている。背側布部３０は特定の厚みを有し、保温性または通気性が確保されるものであればよい。本発明の実施の形態では、腹側布部１０と背側布部３０に形成された特定の厚みを有する通気性のある空気層からなる立体編物が使用されている。
【００１９】
腹側布部１０の上下の長さは、平均的な乳幼児Ｂの胴体の長さ程度に形成され、上下部の幅は平均的な乳幼児Ｂの胴体の幅に形成されている。特に、その上下両側は、その中央付近に切り欠きのピーク位置がくるように弧状に切り欠かれている。即ち、乳幼児Ｂの股に近い位置から脚の取り出しが容易なように、オムツによる容積増の変化も加味して脚案内口１５を設けている。したがって、腹側布部１０の水平方向の横幅は、脚案内口１５の切り欠きのピーク位置で最小の距離Ｌ1となっており、ここが乳幼児Ｂの脚の付け根に近い位置となるように、自然の脚位置から脚案内口１５が定められている。
【００２０】
これに対して、背側布部３０は脚案内口１５を形成していない略四角形の生地となっている。内側に腹側布部１０が配設されているから、乳幼児Ｂとの間に空隙が形成されないように弾性を持たせた仕上げとなっている。この背側布部３０の水平方向の横幅は、乳幼児Ｂの背後の臀部の周囲長から決定されている。したがって、その横幅の距離Ｌ2は、腹側布部１０の距離Ｌ1よりも大きくなる。
【００２１】
ここで、背側布部３０が腹側布部１０よりも生地の面積が広いことから、背側布部３０を使用しないときの取り扱いが問題になる。そこで、本実施の形態では、背側布部３０を使用しないときに、それを格納する格納部４０を腹側布部１０の下部の腰ベルト部２０に設けている。即ち、背側布部３０の上部側から折り畳んで、それを上部から挿入自在のポケット状の格納部４０に収納している。
したがって、格納部４０の厚みが若干厚くなるが、本実施の形態１にかかるベビーキャリアとしては、背側布部３０のないものとなり、スッキリしたデザインとなる。
【００２２】
次に、背側布部３０を格納部４０に収容したり、取出したりする動作について図２を用いて説明する。
まず、腹側布部１０に帯状体１１を介して配設されているバックルの連結受具１２と、背側布部３０に帯状体３１を介して配設されているバックルの連結差込具３２との一対の係合を解き、背側布部３０の上部を開放自在とする。この状態で背側布部３０を上から順次折り畳み、または巻き込み、最後に、それを格納部４０の開口から挿入し、その開口をボタン、ファスナー、接着布で止める。なお、ボタン、ファスナー、接着布は背側布部３０の根元につけられることになる。これによって、背側布部３０の存在が第三者に分からなくすることができる。
【００２３】
これとは逆に、格納部４０から背側布部３０を取り出す場合には、開口を止めていたボタン、ファスナー、接着布を開放させ、格納部４０の中から背側布部３０を引き出す。そして、背側布部３０を展開し、腹側布部１０に帯状体１１を介して配設されているバックルの連結受具１２と、背側布部３０に帯状体３１を介して配設されているバックルの連結差込具３２との一対の係合を行う。このとき、腹側布部１０と背側布部３０とは互いに平行する併設状態となり、背側布部３０は乳幼児Ｂの臀部を取り巻くようになる。
【００２４】
なお、本実施の形態では、腹側布部１０の上部で、腹側布部１０に帯状体１１を介して配設されているバックルの連結受具１２と、背側布部３０に帯状体３１を介して配設されているバックルの連結差込具３２との一対の係合を行うものであるが、本発明を実施する場合には、背側布部３０の解放端を下側とし、背側布部３０の上部を腹側布部１０の上部に縫製して固着してもよい。即ち、本発明を実施する場合の背側布部３０の取付け固着部分と解放端は、背側布部３０の上部または下部とすることができる。
【００２５】
腹側布部１０の上部左右には、左右の肩ベルト部５０相互間の距離を調整する肩ベルト調整部６０が配設されている。
左右の肩ベルト部５０は、左肩に掛ける左肩ベルト部５１とその端部に連結差込具５３を取付けた調節ベルト５５と、右肩に掛ける右肩ベルト部５２と端部に連結差込具５４を取付けた調節ベルト５６とからなる。連結差込具５３は腹側布部１０側に取付けた図示しない連結受具に接続され、連結差込具５４は腹側布部１０側に取付けた図示しない連結受具に接続されている。また、調節ベルト５５及び調節ベルト５６は、その長さを調節できる図示しないアジャスタが配設されている。
【００２６】
また、左肩ベルト部５１及び右肩ベルト部５２には、両者間の間隔を調整保持する肩ベルト調整部６０が設けられている。この肩ベルト調整部６０は左肩ベルト調整部６１及び右肩ベルト調整部６２からなり、詳しくは、端部に連結差込具６３を取付けた左肩ベルト調整部６１と、端部に連結受具６４を取付けた右肩ベルト調整部６２とからなる。連結差込具６３は連結受具６４に接続され、左肩ベルト調整部６１と右肩ベルト調整部６２との長さが調節できる図示しないアジャスタが配設されている。
【００２７】
左肩ベルト調整部５１と右肩ベルト調整部５２は、各左肩ベルト部５１と右肩ベルト部５２とに平行して配設されているスライドベルト６５またはスライドベルト６６を摺動自在とし、肩ベルト調整部６０の位置が移動自在となっている。
したがって、各左肩ベルト部５１と右肩ベルト部５２を肩に掛けた状態で、連結差込具６３と連結受具６４が接続されると、左肩ベルト調整部６１と右肩ベルト調整部６２との長さによって、左肩ベルト部５１または右肩ベルト部５２が掛けた肩から外れることがなくなる。
なお、腹側布部１０の上部は左右の肩ベルト部５０の取付け個所であり、乳幼児Ｂの体重の何割かを負担することから、それに十分耐えるように、機械的強度を持たせてある。
【００２８】
本実施の形態１のベビーキャリアは、図３（ａ）に示すように、乳幼児Ｂと親Ｍの顔が相向き会うとき、乳幼児Ｂの身体は腹側布部１０と腹側布部１０に重ねられた背側布部３０の状態で取付けられる。なお、この場合、両者間に接着布、ボタン等で移動止めを施してもよい。
腰ベルト部２０のベルト２３を親Ｍの腰に配置させて、連結差込具２１及び連結受具２２を連結係合させる。ここで、左右の肩ベルト部５０の何れか一方を肩にかけ、その状態で乳幼児Ｂを親Ｍ側を正面として腹側布部１０の脚案内口１５に脚をおいて座らせ、乳幼児Ｂの位置決めをしたところで、左右の肩ベルト部５０の他方を肩にかけ、乳幼児Ｂを相向き会いに抱くことができる。
【００２９】
乳幼児Ｂと親Ｍとが同一方向を向くときには、腹側布部１０に帯状体１１を介して配設されているバックルの連結受具１２と、背側布部３０に帯状体３１を介して配設されているバックルの連結差込具３２との一対の係合を解き、背側布部３０を上から順次折り畳み、または巻き込み、それを格納部４０の開口から挿入し、その開口をボタン、ファスナー、接着布で止める。
腰ベルト部２０のベルト２３を親Ｍの腰に配置させて連結差込具２１及び連結受具２２を連結係合させる。ここで、左右の肩ベルト部５０の何れか一方を肩にかけ、その状態で乳幼児Ｂを親Ｍ側を背面として腹側布部１０の脚案内口１５に脚をおいて座らせ、位置決めしたところで、左右の肩ベルト部５０の他方を肩にかけ、乳幼児Ｂを親Ｍと同一方向を向くように抱くことができる。
【００３０】
即ち、本実施の形態１のベビーキャリアは、乳幼児Ｂの身体の腹側にあてがわれる腹側布部１０と、腹側布部１０の上部に一端が固着され、親Ｍ側の肩に回して他端を腹側布部１０の側部に固着される一対の肩ベルト部５０と、腹側布部１０の上部または下部を一体に固着し、反対側の下部または上部の一方を分離自在とし、腹側布部１０に対して重ね合わせ及び分離自在とし、乳幼児Ｂの身体の背側にあてがわれる腹側布部１０の距離Ｌ1よりも横幅の広い距離Ｌ2の背側布部３０と、背側布部３０の下部及び腹側布部１０の下部を一体化、または背側布部３０の下部を分離自在とし、腹側布部１０の下部と共に一体化した親Ｍ側の腰回りに配設する腰ベルト部２０とを具備するものである。
【００３１】
したがって、図４（ａ）のように、乳幼児Ｂが親Ｍの顔と相向き会うときには、乳幼児Ｂの身体は腹側布部１０と、腹側布部１０に一体に重ねられた背側布部３０の状態で取付け、腰ベルト部２０のベルト２３を親Ｍの腰に配置させて連結差込具２１及び連結受具２２を連結係合させる。この状態で、左右の肩ベルト部５０の何れか一方を肩にかけ、乳幼児Ｂを親Ｍ側を正面として腹側布部１０の脚案内口１５に脚をおいて座らせ、位置決めしたところで、左右の肩ベルト部５０の他方を肩にかけると、乳幼児Ｂを相向き会いに抱くことができる。
【００３２】
図４（ｂ）のように、乳幼児Ｂと親Ｍとが同一方向を向くときには、背側布部３０を上から順次折り畳み、または巻き込み、それを格納部４０に格納する。そして、腰ベルト部２０のベルト２３を親Ｍの腰に配置させて連結差込具２１及び連結受具２２を連結係合させる。ここで、左右の肩ベルト部５０の何れか一方を肩にかけ、その状態で乳幼児Ｂを親Ｍ側を背面として腹側布部１０の脚案内口１５に脚をおいて座らせ、位置決めしたところで、左右の肩ベルト部５０の他方を肩にかけ、乳幼児Ｂを親Ｍと同一方向を向くように抱くことができる。
【００３３】
図５（ａ）のように、乳幼児Ｂの顔が親Ｍの後頭部に向くおんぶのときには、乳幼児Ｂの身体は腹側布部１０と、腹側布部１０に重ねられた背側布部３０の状態で取付け、腰ベルト部２０のベルト２３を親Ｍの腰に配置させて連結差込具２１及び連結受具２２を連結係合させる。ここの状態で、左右の肩ベルト部５０の何れか一方を肩にかけ、乳幼児Ｂを親Ｍ側を正面として腹側布部１０の脚案内口１５に脚をおいて座らせ、位置決めしたところで、左右の肩ベルト部５０の他方を肩にかけ、乳幼児Ｂの顔が親Ｍの後頭部に向くようにすることができる。
【００３４】
図５（ｂ）のように、乳幼児Ｂが親Ｍに背を向けるおんぶのときには、背側布部３０を上から順次折り畳み、または巻き込み、それを格納部４０に格納する。そして、腰ベルト部２０のベルト２３を親Ｍの腰に配置させて連結差込具２１及び連結受具２２を連結係合させる。ここで、左右の肩ベルト部５０の何れか一方を肩にかけ、その状態で乳幼児Ｂを親Ｍ側を背面として腹側布部１０の脚案内口１５に脚をおいて座らせ、位置決めしたところで、左右の肩ベルト部５０の他方を肩にかけ、乳幼児Ｂを親Ｍと反対方向を向くように抱くことができる。
【００３５】
したがって、乳幼児Ｂは親Ｍと相向き合いにまたは親Ｍと同一方向に抱っこや、おんぶするとき、背側布部３０の操作だけで、乳幼児Ｂの股間を強制的に広げるように外力が加わることなく本実施の形態１のベビーキャリアが使用でき、乳幼児Ｂの股間に加わる外力を少なくすることができ、乳幼児Ｂの負担を軽減できる。
【００３６】
また、本実施の形態１のベビーキャリアは、腹側布部１０側のバックルの連結受具１２と、背側布部３０側のバックルの連結差込具３２との一対の係合を解き、背側布部３０の上部を開放し、上から順次折り畳みまたは巻き込み、それを格納部４０に格納することによって、背側布部３０の存在が第三者に分からなくすることができ、デザイン的な見栄えを低下させない。また、背側布部３０の解放端を下にしたとしても、格納部４０を腹側布部１０の上側に形成すれば、同様の効果がある。
【００３７】
なお、乳幼児Ｂの身体にあてがわれる腹側布部１０の下部には、親Ｍの腰に止める腰ベルト部２０並びに腹側布部１０の上部に配設された左右の肩ベルト部５０相互間の距離を調整する肩ベルト調整部６０を具備するものであるから、親Ｍの腰に止める腰ベルト部２０を止めてから、左右の肩ベルト部５０を止めてもよいし、逆に、左右の肩ベルト部５０を止めてから、親Ｍの腰に止める腰ベルト部２０を止めてもよいので、使い勝手がよい。また、肩の凝る人には、肩の負担を軽減できる。このように、ベビーキャリアの腹側布部１０側に乳幼児Ｂが配置されて、そこで位置決めされることから、ベビーキャリアの使用が腹側布部１０側の使用となり、乳幼児Ｂと一体感があるから抱っこやおんぶの際の取り扱いが熟練者でなくとも容易になる。
【００３８】
上記実施の形態１のベビーキャリアは、本発明を実施する場合には、その左右両側から乳幼児Ｂの脚を出し、図示しない乳幼児Ｂの固定ベルトを配設し、乳幼児Ｂの胴体を保持することによって乳幼児Ｂが倒れ難くすることができ、この場合には、安定した抱っこやおんぶができる。
【００３９】
［参考例１］
次に、図６乃至図８を用いて、本発明の参考例１について説明する。
実施の形態１との相違点は、実施の形態１の背側布部３０の取付けがバックルであったのに対して、本参考例１では、背側布部３０と腹側布部１０との接合をファスナーとしたものである。また、本実施の形態１にかかるベビーキャリアにおいては、背側布部３０の上部側から折り畳んで、それを上部から挿入自在のポケット状の格納部４０を設けていたが、本参考例１では、格納部４０を設けていない。
【００４０】
この参考例１では、腹側布部１０に一方のファスナー７１を縫い付け、背側布部３０の端部に他方のファスナー７２を縫い付けたものであり、更に、背側布部３０をロール状に巻き付けることにより、背側布部３０に縫製した接着布７５と腰ベルト部２０側に縫製した接着布７６とが接合によって腰ベルト部２０に背側布部３０を取付けることができる構成としている。
【００４１】
即ち、本参考例１のベビーキャリアは、乳幼児Ｂの身体の腹側にあてがわれる腹側布部１０と、腹側布部１０の上部に一端が固着され、親Ｍ側の肩に回して他端を腹側布部１０の側部に固着される一対の肩ベルト部５０と、腹側布部１０の上部または下部を一体に固着し、反対側の下部または上部をファスナー７１及びファスナー７２で分離自在とし、腹側布部１０に対してファスナー７１及びファスナー７２で重ね合わせ及び分離自在とし、乳幼児Ｂの身体の背側にあてがわれる腹側布部１０の距離Ｌ1よりも横幅の広い距離Ｌ2の背側布部３０と、背側布部３０の下部及び腹側布部１０の下部を一体化、または背側布部３０の下部を分離自在とし、腹側布部１０の下部と共に一体化した親Ｍ側の腰回りに配設する腰ベルト部２０とを具備するものである。
【００４２】
したがって、本参考例１においても、代用する図面の図４（ａ）のように、乳幼児Ｂと親Ｍの顔が相向き会うときには、乳幼児Ｂの身体は腹側布部１０と、腹側布部１０に重ねられた背側布部３０の状態で取付け、腰ベルト部２０を親Ｍの腰に配置させてファスナー７１及びファスナー７２で連結係合させ、この状態で、左右の肩ベルト部５０の何れか一方を肩にかけ、乳幼児Ｂと親Ｍ側を対面させ、腹側布部１０の脚案内口１５に脚をおいて座らせ、位置決めしたところで、左右の肩ベルト部５０の他方を肩にかけ、乳幼児Ｂを親Ｍと相向き会いに抱くことができる。
【００４３】
または、図４（ｂ）のように、乳幼児Ｂと親Ｍとが同一方向を向くときには、背側布部３０を上から順次折り畳みまたは巻き込み、それを格納部４０の位置に背側布部３０側の接着布７５及び腰ベルト部２０側の接着布７６により、腰ベルト部２０に取付ける。
そして、腰ベルト部２０を親Ｍの腰に配置させて連結差込具２１及び連結受具２２を連結係合させる。ここで、左右の肩ベルト部５０の何れか一方を肩にかけ、その状態で乳幼児Ｂの親Ｍ側を背面として腹側布部１０の脚案内口１５に脚をおいて座らせ、位置決めしたところで、左右の肩ベルト部５０の他方を肩にかけ、乳幼児Ｂを親Ｍと同一方向を向くように抱くことができる。
【００４４】
そして、図５（ａ）のように、乳幼児Ｂの顔が親Ｍの後頭部に向くおんぶのときには、腹側布部１０に重ねられた背側布部３０の状態で取付け、腰ベルト部２０を親Ｍの腰に配置させて連結差込具２１及び連結受具２２を連結係合させ、左右の肩ベルト部５０の何れか一方を肩にかけ、乳幼児Ｂを親Ｍ側を正面として腹側布部１０の脚案内口１５に脚をおいて座らせ、左右の肩ベルト部５０の他方を肩にかけ、乳幼児Ｂの顔が親Ｍの後頭部に向くようにすることができる。
【００４５】
更に、図５（ｂ）のように、乳幼児Ｂが親Ｍに背を向けるおんぶのときには、背側布部３０を上から順次折り畳み、または巻き込み、それを格納部４０に格納する。そして、腰ベルト部２０を親Ｍの腰に配置させて連結差込具２１及び連結受具２２を連結係合、左右の肩ベルト部５０の何れか一方を肩にかけ、その状態で乳幼児Ｂを親Ｍ側を背面として腹側布部１０の脚案内口１５に脚をおいて座らせ、位置決めしたところで、左右の肩ベルト部５０の他方を肩にかけ、乳幼児Ｂを親Ｍと反対方向を向くように抱くことができる。
【００４６】
したがって、図４（ａ）のように、乳幼児Ｂの顔と親Ｍの顔が相向き合うとき、図４（ｂ）のように、乳幼児Ｂと親Ｍが同一方向を向くとき、図５（ａ）のように、乳幼児Ｂの顔が親Ｍの後頭部に向くおんぶのとき、図５（ｂ）のように、乳幼児Ｂが親Ｍに背を向けるおんぶのときにも、本実施の形態１及び参考例１のベビーキャリアの使用が可能となる。
【００４７】
特に、本参考例１のベビーキャリアは、腹側布部１０側のファスナー７１と、背側布部３０側のファスナー７２との一対の係合を解き、背側布部３０の上部を開放し、上から順次折り畳みまたは巻き込み、背側布部３０に設けた接着布７５と腰ベルト部２０のベルト２３に配設した接着布７６によって、即ち、背側布部３０の下部に配設した接着布７５と腰ベルト部２０のベルト２３に設けた接着布７６によって、腹側布部１０と背側布部３０が共に一体に固定する保持部９０を形成している。
したがって、保持部９０は、背側布部３０の下部及び腹側布部１０の下部または腹側布部１０の下部と共に一体化する肩ベルト部５０の他端に連結されるベルト２３に設けた接着布７６と、背側布部３０の下部に配設した接着布７５によって構成されている。
【００４８】
なお、乳幼児Ｂの身体にあてがわれる腹側布部１０の下部には、親Ｍの腰に止める腰ベルト部２０並びに腹側布部１０の上部に配設された左右の肩ベルト部５０相互間の距離を調整する肩ベルト調整部６０を具備するものであるから、親Ｍの腰に止める腰ベルト部２０を止めてから、左右の肩ベルト部５０を止めてもよいし、逆に、左右の肩ベルト部５０を止めてから、親Ｍの腰に止める腰ベルト部２０を止めてもよいので、使い勝手がよい。また、肩の凝る人には、肩の負担を軽減できる。このように、ベビーキャリアの腹側布部１０側に乳幼児Ｂが配置されて、そこで位置決めされることから、ベビーキャリアの使用が腹側布部１０側の使用となり、乳幼児Ｂと一体感があるから抱っこやおんぶの際の取り扱いが熟練者でなくとも容易になる。
上記参考例１のベビーキャリアは、その左右両側から乳幼児Ｂの脚を出し、図示しない乳幼児Ｂの固定ベルトを配設すると、乳幼児Ｂの胴体を保持することによって乳幼児Ｂが倒れ難くすることができ、安定した抱っこやおんぶができる。
【００４９】
［実施の形態２］
実施の形態１及び参考例１は、腰ベルト部２０を具備するものであるが、図９に示すように、腰ベルト部２０を有しないベビーキャリアに対しても適用できる。但し、図９（ａ）は本発明の実施の形態２のベビーキャリア、図９（ｂ）は本発明の参考例１の変形例のベビーキャリアである。
即ち、乳幼児Ｂにあてがわれる腹側布部１０の上部から下部に左右の肩ベルト部５０相互間の距離を調整する肩ベルト調整部６０を具備し、腰ベルト部２０を省略することもできる。この種の実施の形態では、左右の肩ベルト部５０のみで乳幼児Ｂを抱いたり、おんぶしたりすることができる。
【００５０】
図９において、腹側布部１０の上部左右には、左右の肩ベルト部５０相互間の距離を調整する肩ベルト調整部６０が配設されている。
左右の肩ベルト部５０は、左肩に掛ける左肩ベルト部５１とその端部に連結具５８を取付けた調節ベルト５５と、右肩に掛ける右肩ベルト部５２と端部に連結具５９を取付けた調節ベルト５６とからなる。調節ベルト５５及び調節ベルト５６の他端は、腹側布部１０の下部中央に縫い付けられている。連結具５８は左肩ベルト部５１と調節ベルト５５を接続または分離するもので、連結具５９は右肩ベルト部５２と調節ベルト５６を接続または分離するものである。また、調節ベルト５５及び調節ベルト５６には、その長さを調節できる図示しないアジャスタが配設されている。
【００５１】
また、左肩ベルト部５１及び右肩ベルト部５２には、両者間の間隔を調整保持する肩ベルト調整部６０が設けられている。この肩ベルト調整部６０は左肩ベルト調整部６１及び右肩ベルト調整部６２からなり、詳しくは、端部に連結差込具６３を取付けた左肩ベルト調整部６１と、端部に連結受具６４を取付けた右肩ベルト調整部６２とからなる。連結差込具６３は連結受具６４に接続され、左肩ベルト調整部６１と右肩ベルト調整部６２との長さが調節できるアジャスタが配設されている。
【００５２】
左肩ベルト調整部６１と右肩ベルト調整部６２は、各左肩ベルト部５１と右肩ベルト部５２とに並行して配設されているスライドベルト６５またはスライドベルト６６を摺動自在とし、肩ベルト調整部６０の位置が移動自在となっている。
したがって、各左肩ベルト部５１と右肩ベルト部５２を肩に掛けた状態で、連結差込具６３と連結受具６４が接続されると、左肩ベルト調整部６１と右肩ベルト調整部６２との長さによって、左肩ベルト部５１または右肩ベルト部５２が掛けた肩から外れることがない。
【００５３】
一対の左右の肩ベルト部５０は、その上端を腹側布部１０の上部に固着され、下端は、背側布部３０の下部及び腹側布部１０の下部を一体化、または背側布部３０の下部を分離自在とし、腹側布部１０の下部と共に一体化した補助布部８０に固着されている。
本発明を実施する場合には、一対の左右の肩ベルト部５０はその上端を腹側布部１０の上部に、その下端を腹側布部１０の下部に縫製等によって固着するものであればよい。しかし、背側布部３０の下部及び腹側布部１０の下部を一体化、または背側布部３０の下部を分離自在とし、腹側布部１０の下部と共に一体化する補助布部８０を設けると、その補助布部８０を介して一対の左右の肩ベルト部５０の他端に連結したとき、背側布部３０及び腹側布部１０または腹側布部１０との接続強度が安定化される。また、一対の左右の肩ベルト部５０を堅固に取付けることができ、また、左右の肩ベルト部５０に加わる力の分散ができるから、乳幼児の体重をバランスよく受けることができる。
【００５４】
なお、背側布部３０の下部及び腹側布部１０の下部を一体化、または背側布部３０の下部を分離自在とし、腹側布部１０の下部と共に一体化する補助布部８０を腹側布部１０の下部側に配設しているが、背側布部３０の上部側にも同様に補助布部８０を配設してもよい。特に、補助布部８０は芯材等によって、強度を上げ、背側布部３０の下部及び腹側布部１０の下部等に加わる力の分散化が可能となる。
【００５５】
このように、本参考例１のベビーキャリアは、乳幼児Ｂの身体の腹側にあてがわれる腹側布部１０と、腹側布部１０の上部に一端が固着され、親Ｍ側の肩に回して他端を腹側布部１０の下部に固着される一対の肩ベルト部５０と、腹側布部１０の上部または下部を一体に固着し、反対側の下部または上部の一方を分離自在とし、腹側布部１０に対して重ね合わせ及び分離自在とし、乳幼児Ｂの身体の背側にあてがわれる腹側布部１０よりも横幅の広い背側布部３０と、背側布部３０の下部及び腹側布部１０の下部を一体化、または背側布部３０の下部を分離自在とし、腹側布部１０の下部と共に一体化した補助布部８０と、背側布部３０側の接着布７５及び腰ベルト部２０側の接着布７６からなる保持部９０とを具備するものである。
【００５６】
抱っこによって乳幼児Ｂの顔が親Ｍと相向き会うとき、また、おんぶによって乳幼児Ｂと親Ｍとが同一方向を向くとき、図９（ａ）の場合には、腹側布部１０に帯状体１１を介して配設されているバックルの連結受具１２と、背側布部３０に帯状体３１を介して配設されているバックルの連結差込具３２との一対の係合状態で、乳幼児Ｂの身体は腹側布部１０とその腹側布部１０に重ねられた背側布部３０の状態にある。また、図９（ｂ）の参考例の場合には、ファスナー７１及びファスナー７２で連結係合状態とし、この状態で、左右の肩ベルト部５０の何れか一方を肩にかけ、乳幼児Ｂを親Ｍ側を正面として腹側布部１０の脚案内口１５に脚をおいて座らせ、位置決めしたところで、左右の肩ベルト部５０の他方を肩にかけ、乳幼児Ｂを相向き会いに抱くことができる。
【００５７】
また、抱っこによって乳幼児Ｂと親Ｍとが同一方向を向くとき、また、おんぶによって、乳幼児Ｂと親Ｍとが顔を合わさないようにしたとき、図９（ａ）の実施の形態２の場合には、腹側布部１０に帯状体１１を介して配設されているバックルの連結受具１２と、背側布部３０に帯状体３１を介して配設されているバックルの連結差込具３２との一対の係合状態を解き、背側布部３０を上から順次折り畳みまたは巻き込み、それを格納部４０の位置に背側布部３０を収納する。または、図９（ｂ）の参考例の場合には、背側布部３０を上から順次折り畳み、または巻き込み、保持部９０を構成する背側布部３０側の接着布７５及び腰ベルト部２０側の接着布７６により、それを固定する。このとき、左右の肩ベルト部５０の何れか一方を肩にかけ、乳幼児Ｂが親Ｍ側を背面として腹側布部１０の脚案内口１５に脚をおいて座らせ、左右の肩ベルト部５０の他方を肩にかけ、乳幼児Ｂの後頭部に親Ｍの顔がくるようにする。
【００５８】
したがって、乳幼児Ｂが親Ｍの顔と対面するとき、乳幼児Ｂと親Ｍとが同一方向を向くとき、乳幼児Ｂが親Ｍの後頭部に向くおんぶのとき、乳幼児Ｂが親Ｍに背を向けるおんぶのときにも、本実施の形態のベビーキャリアの使用が可能となる。
参考例においても、実施の形態１及び参考例１と同様の作用効果を奏することができ、かつ、乳幼児Ｂの身体の反親Ｍ側にあてがわれる腹側布部１０の上部から下部に左右の肩ベルト部５０相互間の距離を調整する肩ベルト調整部６０を具備するものであるから、左右の肩ベルト部５０のみで乳幼児Ｂを抱いたり、おんぶしたりすることができる。
【００５９】
特に、本実施の形態２のベビーキャリアは、腹側布部１０側のファスナー７１と、背側布部３０側のファスナー７２との一対の係合を解き、背側布部３０の上部を開放し、上から順次折り畳みまたは巻き込み、それを保持部９０で保持することによって、背側布部３０の存在が邪魔にならず、デザイン的な見栄えを低下させない。また、背側布部３０の解放端を下にしたとしても、保持部９０を腹側布部１０の上側に形成しても、同様の効果がある。
【００６０】
なお、乳幼児Ｂの身体にあてがわれる腹側布部１０の下部には、腹側布部１０の上部に配設された左右の肩ベルト部５０及びその相互間の距離を調整する肩ベルト調整部６０を具備するものである。このように、ベビーキャリアの腹側布部１０側に乳幼児Ｂが配置されて、そこで位置決めされることから、ベビーキャリアの使用が腹側布部１０側の使用となり、乳幼児Ｂと一体感があるから抱っこやおんぶの際の取り扱いが熟練者でなくとも容易になる。
また、上記実施の形態２のベビーキャリアは、本発明を実施する場合には、その左右両側の脚案内口１５から乳幼児Ｂの脚を出し、図示しない乳幼児Ｂを固定ベルトを配設し、乳幼児Ｂの胴体を保持することによって、乳幼児Ｂが倒れ難くすることができ、安定した抱っこやおんぶができる。
【００６１】
したがって、乳幼児Ｂは腹側布部１０と背側布部３０の二重で囲まれることになるから、寒いときの使用に好適となり、腹側布部１０のみの使用では、暑いときの使用に好適である。また、ベビーキャリアの腹側布部１０側に乳幼児Ｂが配置されて、そこで位置決めできるから、ベビーキャリアの使用が腹側布部１０側の使用となり、乳幼児Ｂと一体感があるから抱っこやおんぶの際の取り扱いが熟練者でなくとも容易になる。
また、腹側布部１０の内面に立体編物を配設したものでは、乳幼児Ｂの身体の全周が異常に保温されることがなくなる。
【００６２】
加えて、背側布部３０の下部及び腹側布部１０の下部を一体化、または背側布部３０の下部を分離自在とし、腹側布部１０の下部と共に一体化した補助布部８０は、その補助布部８０を介して一対の左右の肩ベルト部５０の他端に連結でき、背側布部３０及び腹側布部１０または腹側布部１０との接続強度が安定化される。また、一対の左右の肩ベルト部５０を堅固に取付けることができ、また、左右の肩ベルト部５０に加わる力の分散ができるから、乳幼児の体重をバランスよく受けることができる。
【００６３】
［参考例２］
実施の形態１、実施の形態２、参考例１は、腹側布部１０と背側布部３０を別々に設けたものであるが、腹側布部１０と背側布部３０を一体にした背腹共通布部１００とすることができる。それが参考例２である。
図１０乃至図１２を用いて参考例２について説明する。
図１０乃至図１２に示すように、参考例２にかかるベビーキャリアにおいて、乳幼児Ｂを抱っこしたり、おんぶしたりしたとき、乳幼児Ｂの身体に対し親Ｍ側の対向側、即ち、乳幼児Ｂの腹側にあてがわれるベビーキャリアの腹側布部１０は、乳幼児Ｂの身体の反親Ｍ側にあてがわれるものであり、図示しない公知の芯材の周囲に緩衝材及び弾性材を配設し、その表面をデザイン的に処理してなるものである。その表生地と裏生地との間または乳幼児Ｂ側または全体を特定の厚みの空気層を形成してなる立体編物とすることもできる。なお、図１２中の白抜き矢印は、乳幼児Ｂの向きを示す。
【００６４】
背側布部３０は、乳幼児Ｂの身体の背側にあてがわれるときに、乳幼児Ｂの臀部を広い範囲で受けるもので、腹側布部１０との違いは、乳幼児Ｂの身体の腹側にあてがわれるときには、背側布部３０の横幅よりも腹側布部１０は幅狭に調節して、その調節状態を調節保持部１２０によって維持する。即ち、背側布部３０と腹側布部１０は、背腹共通布部１００を構成している。また、調節保持部１２０は腹側布部１０を背側布部３０の横幅よりも幅狭に調節して、その調節状態を維持するものである。
【００６５】
即ち、腹側布部１０及び背側布部３０である背腹共通布部１００は、図示しない公知の芯材の周囲に緩衝材及び弾性材を配設し、その表面をデザイン的に処理してなるものである。背側布部３０の基本的構造は腹側布部１０と相違するものではないが、機械的には、腹側布部１０の方が背側布部３０よりも幅狭に形成されている。乳幼児Ｂの身体の腹側にあてがわれるとき、腹側布部１０は背側布部３０の横幅よりも幅狭に調節して、その調節状態を調節保持部１２０によって維持する。
【００６６】
腹側布部１０の下部に縫い付けられた腰ベルト部２０は、他の実施の形態と同様、母親等の親Ｍの腰にベルト２３を巻いて、その端部に配設されているバックルの連結差込具２１及び連結受具２２を連結係合させることによって、親の腰回りに固定され、人為的にバックルの連結差込具２１と連結受具２２との連結係合を解かない限り外れなくなっている。したがって、腰ベルト部２０のベルト２３は、可撓性があり、腹側布部１０の下部で乳幼児Ｂの体重の多くを保持するので、強度的に耐えられるものであり、かつ、力（乳幼児Ｂの体重）の分散が行われる形態として形成されている。
【００６７】
特に、所定の厚みを有する背腹共通布部１００の上部に一対の帯状体３１を介してバックルの連結差込具３２が配設されていて、背腹共通布部１００に一対の帯状体１１を介して配設されている一対のバックルの連結受具１２との連結係合により一体となっている。
ここで、上記乳幼児Ｂの身体にあてがわれる腹側布部１０及び背側布部３０は、乳幼児Ｂの後頭部から背中、臀部までを支持する適当な弾性及び可撓性を有する材料からなる乳幼児Ｂを保護する部材である。
【００６８】
なお、参考例２における背腹共通布部１００の背側布部３０には、図１０乃至図１２に示すように、腹側布部１０に対して調整布１０１が付加された形態になっている。調整布１０１は腹側布部１０の下部に縫製域（破線で示された範囲）１０１ａで縫製されていて、上部はスナップボタン１０１ｂで腹側布部１０の中間部の高さで止めている。また、その先端は、弾生体のリングを取付けた弾性端部１０１ｃとなっており、一対の帯状体３１に通すことにより、端部が背腹共通布部１００に取付け可能である。
【００６９】
したがって、図１１（ａ）及び図１１（ｂ）に示すように、一対の帯状体３１から弾性端部１０１ｃを外し、スナップボタン１０１ｂを外し、その調整布１０１の両側を互いに内側に折り畳むことにより、スナップボタン１０１ｂ相互間で折り畳み状態を維持することができる。この乳幼児Ｂの身体の腹側に背腹共通布部１００があてがわれるとき、その一部を左右から調節して、そのスナップボタン１０１ｂと両調整布１０１からなり、両調整布１０１の動きを拘束し、背側布部３０の横幅よりも幅狭の腹側布部１０と調節状態を維持する調節保持部１２０を構成している。
【００７０】
調整布１０１を腹側布部１０の下部に縫製されていて、上部はスナップボタン１０１ｂで腹側布部１０の中間部の高さで止められているが、その一対の帯状体３１から弾性端部１０１ｃを外し、スナップボタン１０１ｂを外し、その調整布１０１の両側を互いに内側に折り畳むことにより、スナップボタン１０１ｂ相互間で折り畳み状態を維持することができる。このとき、腹側布部１０の水平方向の横幅は、脚案内口１５の切り欠きのピーク位置で最小の距離Ｌ1となっており、ここが乳幼児Ｂの脚の付け根に近い位置となるように、自然の脚位置から脚案内口１５が定められている。
【００７１】
この調節保持部１２０は、調整布１０１がベビーキャリアの外観の一部となって人目に付く個所であるから、それが整然と保持されるように維持するものである。したがって、スナップボタン１０１ｂ、弾性端部１０１ｃの形態を変化させることもできる。当然、接着布を使用することもできるが、洗濯または使用によって糸くずが付着するので、それを考慮して採用する必要がある。また、マグネットとすることもできるが、マグネットの場合には、端部から剥がしやすくするのが望ましい。
【００７２】
参考例２のベビーキャリアは、乳幼児Ｂの身体の背側にあてがわれるときには背側布部３０になり、また、乳幼児Ｂの身体の腹側にあてがわれるときには、背側布部３０の横幅よりも幅狭に調節して、その調節状態を調節保持部１２０によって維持する腹側布部１０になる背腹共通布部１００と、背腹共通布部１００の上部に一端が固着され、親Ｍ側の肩に回すだけの距離に他端を設定し、背腹共通布部１００の側部に固着してなる一対の肩ベルト部５０と、背腹共通布部１００の下部と一体化し、少なくとも一体化した布部の下部と共に親側の腰回りに配設する腰ベルト部２０とを具備するものである。
【００７３】
背側布部３０と腹側布部１０の機能を有する背腹共通布部１００は、乳幼児Ｂの身体の背側にあてがわれるときには背側布部３０になり、また、乳幼児Ｂの身体の腹側にあてがわれるときには、背側布部３０の横幅よりも幅狭に調節して、その調節状態を調節保持部１２０によって維持する腹側布部１０になる。そして、一対の肩ベルト部５０は、背腹共通布部１００の上部に一端が固着され、親側の肩に回すだけの距離をもって他端を背腹共通布部１００の側部に固着してなり、また、腰ベルト部２０は、背腹共通布部１００の下部と一体化し親側の腰回りに配設してなる。
したがって、上記実施の形態１及び参考例１と同様に使用できる。
【００７４】
例えば、乳幼児Ｂを抱いたり、おんぶしたりする際に、その親Ｍと乳幼児Ｂの向きの関係は、常に乳幼児Ｂの前側に背腹共通布部１００の腹側布部１０が、乳幼児Ｂの後側に背腹共通布部１００の背側布部３０が位置し、通常、水平方向に幅狭に形成されている腹側布部１０から、ベビーキャリアから乳幼児Ｂの脚を容易に出すことができるので、乳幼児Ｂの体形に合った抱っこやおんぶの補助ができ、親が気付き難い乳幼児Ｂにかかる負担を軽減できる。また、特に、親Ｍ側の肩に回して固着される一対の肩ベルト部５０及び親Ｍ側の腰回りに配設する腰ベルト部２０によって、一対の肩ベルト部５０と腰ベルト部２０によって乳幼児Ｂの体重をかけることができ、乳幼児Ｂの体重を肩ベルト部５０と腰ベルト部２０に分散でき、親Ｍの肩に加わる負担を軽減できる。
また、乳幼児Ｂは親Ｍ側に向かって抱かれるとき、乳幼児Ｂの臀部の背後全体を背側布部３０で覆うことができ、外気温によって乳幼児Ｂの抱き方を変更することによって、暖かい抱き方、涼しい抱き方の選択ができる。
【００７５】
参考例２においては、調整布１０１を腹側布部１０の下部に縫製されていて、その調整布１０１の両側を互いに内側に折り畳むことにより、スナップボタン１０１ｂ相互間で折り畳み状態を維持し、乳幼児Ｂの身体の腹側にあてがわれるときには、背側布部３０の横幅よりも幅狭に調節して、その調節状態を調節保持部１２０によって維持する腹側布部１０とするものである。しかし、本実施の形態の調整布１０１の両側を互いに内側に折り畳む機能を調整布１０１の幅方向を紐によって締め付けを行い、その間隔を狭めることもできる。即ち、調整布１０１の水平方向に１本または２本の紐を通しておき、両側からその紐の長さを短く結ぶことにより、腹側布部１０を背側布部３０の横幅よりも幅狭に調節して、その調節状態を紐の結びまたは紐の長さを調節する手段からなる調節保持部１２０によって調節することができる。
【００７６】
［実施の形態３］
図１３乃至図１５は実施の形態３で、特に、参考例２との相違点は、背腹共通布部１００の背側布部３０には、図１０乃至図１２に示すように、腹側布部１０に対して調整布１０１が付加された形態になっている。調整布１０１は腹側布部１０の下部にファスナー１０１Ａが配設されていて、腹側布部１０と調整布１０１との接続はファスナー１０１Ａによって行っている。調整布１０１の下端は、腰ベルト部２０に一体に縫製されており、調整布１０１は下端に折れ曲がるようになっている。調整布１０１の上部は、紐リング１０１Ｄによってボタン１０１Ｂに引っ掛けられており、腹側布部１０と調整布１０１によって背側布部３０を形成している。
【００７７】
背腹共通布部１００の背側布部３０は、紐リング１０１Ｄをボタン１０１Ｂから外し、ファスナー１０１Ａによって一対の調整布１０１を切り離し、下方に折り畳むか、巻き込みながら腰ベルト部２０の格納部４０にそれを格納する。故に、一対の調整布１０１を背腹共通布部１００の背側布部３０から外し、それを格納部４０に格納すれば、見栄えの良い整理が可能になる。また、調整布１０１の両側を折り畳むことにより、腹側布部１０の水平方向の横幅は、脚案内口１５の切り欠きのピーク位置で最小の距離Ｌ1となっており、ここが乳幼児Ｂの脚の付け根に近い位置となるように、自然の脚位置から脚案内口１５が定められている。また、この調節保持部１２０は、調整布１０１がベビーキャリアの外観の一部となって人目に付く個所であるから、それが整然と保持されるように格納部４０に格納維持するものである。
【００７８】
参考例２及び実施の形態２のベビーキャリアは、実施の形態１及び参考例１の腰ベルト部２０を使用するタイプのものであるが、腹側布部１０及び背側布部３０を背腹共通布部１００としてまとめることにより、実施の形態２に示しているように腰ベルト部２０を省略した構成とすることもできる。
【００７９】
即ち、実施の形態３のベビーキャリアは、乳幼児Ｂの身体の背側にあてがわれるとき背側布部３０になり、乳幼児Ｂの身体の腹側にあてがわれるとき、その一部を左右から調節して、その調節保持部１２０によって調節状態を維持し、背側布部３０の横幅よりも幅狭にする腹側布部１０になる背腹共通布部１００と、背腹共通布部１００の上部に一端が固着され、親側の肩に回すだけの距離を離して他端を背腹共通布部１００の下部側に固着してなる一対の肩ベルト部５０と、背腹共通布部１００の下部と一体化し、肩ベルト部５０の他端に連結される補助布部８０を具備するものである。
【００８０】
したがって、背腹共通布部１００は、乳幼児Ｂの身体の背側にあてがわれるときには背側布部３０になり、また、乳幼児Ｂの身体の腹側にあてがわれるときには、背側布部３０の横幅よりも幅狭に調節して、その調節状態を調節保持部１２０によって維持する腹側布部１０になる。即ち、背腹共通布部１００は、背側布部３０と腹側布部１０の機能を有する。そして、一対の肩ベルト部５０は、背腹共通布部１００の上部に一端が固着され、親Ｍ側の肩に回すだけの距離を経て他端を背腹共通布部１００の下部側に固着してなり、また、補助布部８０は、背腹共通布部１００の下部と一体化し、肩ベルト部５０の他端に連結されるものである。
【００８１】
故に、乳幼児Ｂを抱いたり、おんぶしたりする際に、その親と乳幼児Ｂの向きの関係は、常に乳幼児Ｂの前側に背腹共通布部１００の腹側布部１０が、乳幼児Ｂの後側に背腹共通布部１００の背側布部３０が位置し、水平方向に幅狭に形成されている腹側布部１０から乳幼児Ｂの脚がベビーキャリアから容易に出すことができるので、乳幼児Ｂの体形に合った抱っこやおんぶの補助ができ、親が気付き難い乳幼児Ｂにかかる負担を軽減できる。
また、背腹共通布部１００と共に一体化された補助布部８０を設けているから、その補助布部８０を介して肩ベルト部５０の他端に連結することができる。このように、補助布部８０を介して肩ベルト部５０の他端に連結したとき、背腹共通布部１００の接続強度が安定化される。また、一対の肩ベルト部５０を堅固に取付けることができ、また、肩ベルト部５０に加わる力の分散ができるから、乳幼児Ｂの体重をバランスよく受けることができる。
【００８２】
このように、背腹共通布部１００を幅狭に調節するとき、その調節した調節布１０１を収容する格納部４０を腰ベルト部２０または補助布部８０に設けたものであるから、使用しない背腹共通布部１００の背側布部３０は格納部４０を設けることにより、デザイン性及び乳幼児Ｂの安全性を高めることができる。
なお、脚案内口１５を塞ぐ一対の調整布１０１は、ボタン１０１Ｂ、紐リング１０１Ｄ、ファスナー１０１Ａ、スナップボタン１０１ｂ、弾性端部１０１ｃの何れを選択して使用してもよい。なお、実施の形態３のファスナー１０１Ａは、片側１本で湾曲する形態とすることができる。
【００８３】
これに対して、背側布部３０は脚案内口１５を形成していない略四角形の生地となっている。内側に腹側布部１０が配設されているから、乳幼児Ｂとの間に空隙が形成されないように弾性を持たせた仕上げとなっている。この背側布部３０の水平方向の横幅は、乳幼児Ｂの背後の臀部の周囲長から決定されている。したがって、その横幅の距離Ｌ2は、腹側布部１０の距離Ｌ1よりも大きくなる。
【００８４】
ここで、背側布部３０が腹側布部１０よりも生地の面積が広いことから、背側布部３０を使用しないときの取り扱いが問題になる。そこで、本実施の形態では、背側布部３０を使用しないときに、それを格納する格納部４０を腹側布部１０の下部の腰ベルト部２０に設けている。即ち、背側布部３０の上部側から折り畳んで、それを上部から挿入自在のポケット状の格納部４０に収納している。
したがって、格納部４０の厚みが若干厚くなるが、本実施の形態１にかかるベビーキャリアとしては、背側布部３０のないものとなり、スッキリしたデザインとなる。
【００８５】
［実施の形態のまとめ］
上記実施の形態１のベビーキャリアは、乳幼児Ｂの身体の腹側にあてがわれる腹側布部１０と、腹側布部１０の上部に一端が固着され、親Ｍ側の肩に回して他端を腹側布部１０の側部に固着される一対の肩ベルト部５０と、腹側布部１０の上部または下部を一体に固着し、反対側の下部または上部の一方を分離自在とし、腹側布部１０に対して重ね合わせ及び分離自在とし、乳幼児Ｂの身体の背側にあてがわれる腹側布部１０の距離Ｌ1よりも横幅の広い距離Ｌ2の背側布部３０と、背側布部３０の下部及び腹側布部１０の下部を一体化、または背側布部３０の下部を分離自在とし、腹側布部１０の下部と共に一体化した親Ｍ側の腰回りに配設する腰ベルト部２０を具備するものである。
【００８６】
したがって、乳幼児Ｂは親Ｍと相向き合いにまたは親Ｍと同一方向に、抱っこや、おんぶするとき、背側布部３０の操作だけで、乳幼児Ｂの股間を強制的に広げるように外力が加わることなく本実施の形態１のベビーキャリアが使用でき、乳幼児Ｂの股間に加わる外力を少なくすることができ、乳幼児Ｂの負担を軽減できる。
また、本実施の形態１のベビーキャリアは、腹側布部１０側のバックルの連結受具１２と、背側布部３０側のバックルの連結差込具３２との一対の係合を解き、背側布部３０の上部を開放し、上から順次折り畳みまたは巻き込み、それを格納部４０に格納することによって、背側布部３０の存在が第三者に分からなくすることができ、デザイン的な見栄えを低下させない。また、背側布部３０の解放端を下にしたとしても、格納部４０を腹側布部１０の上側に形成すれば、同様の効果がある。
【００８７】
なお、乳幼児Ｂの身体にあてがわれる腹側布部１０の下部には、親Ｍの腰に止める腰ベルト部２０並びに腹側布部１０の上部に配設された左右の肩ベルト部５０相互間の距離を調整する肩ベルト調整部６０を具備するものであるから、親Ｍの腰に止める腰ベルト部２０を止めてから、左右の肩ベルト部５０を止めてもよいし、逆に、左右の肩ベルト部５０を止めてから、親Ｍの腰に止める腰ベルト部２０を止めてもよいので、使い勝手がよい。また、肩の凝る人には、肩の負担を軽減できる。このように、ベビーキャリアの腹側布部１０側に乳幼児Ｂが配置されて、そこで位置決めされることから、ベビーキャリアの使用が腹側布部１０側の使用となり、乳幼児Ｂと一体感があるから抱っこやおんぶの際の取り扱いが熟練者でなくとも容易になる。
そして、ベビーキャリアの腹側布部１０、腹側布部１０及び背側布部３０側に乳幼児Ｂが配置されて、そこで位置決めされることから、ベビーキャリアの使用が腹側布部１０、腹側布部１０及び背側布部３０側の使用となり、乳幼児Ｂと一体感があるから抱っこやおんぶの際の取り扱いが熟練者でなくとも容易になる。
【００８８】
上記実施の形態１のベビーキャリアは、背側布部３０との一体化及び分離自在は、背側布部３０の上部または下部に取付けたバックルとしたものである。このバックルは、雌雄のバックルの両者に対して帯状部材を介して接続するのが望ましい。しかし、雌雄のバックルの一方のみ帯状部材を介して接続してもよいし、直接、腹側布部１０または背側布部３０に配設してもよい。このように、背側布部３０の一体化及び分離自在は、背側布部３０の上部または下部に取付けたバックルとしたものであるから、背側布部３０の機械的強度を上げることができ、かつ、複数ヶ所の接続で十分な強度が得られ、作業性がよい。
【００８９】
上記参考例１、参考例２のベビーキャリアは、背側布部３０の一体化及び分離自在は、背側布部３０の上部または下部に取付けたファスナーとしたものである。このファスナーは、背側布部３０の一体化及び分離自在として、背側布部３０の上部または下部に取付けたものであればよい。このように、背側布部３０の一体化及び分離自在は、背側布部３０の上部または下部に取付けたファスナーとしたものであるから、全体の構成がまとまりよく処理できる。
【００９０】
上記実施の形態のベビーキャリアは、背側布部３０と腹側布部１０は、腹側布部１０を乳幼児Ｂ側の内側に背側布部３０を外側に配設したものである。ここで、腹側布部１０を乳幼児Ｂ側の内側に、背側布部３０を外側に配設したとは、乳幼児Ｂ側に近い方に腹側布部１０、遠い方に背側布部３０を配設することを意味する。この外側に配置されている背側布部３０は、外側だけで折り畳み等の処理ができるので、乳幼児Ｂに使用する空間に違和感が生じない。
【００９１】
上記実施の形態のベビーキャリアは、背側布部３０と腹側布部１０は、腹側布部１０を乳幼児Ｂ側の内側に背側布部３０を外側に配設したものである。しかし、本発明を実施する場合には、背側布部３０を乳幼児Ｂ側の内側に腹側布部１０を外側に配設することもできる。ここで、背側布部３０と腹側布部１０は、背側布部３０と腹側布部１０は、背側布部３０を乳幼児Ｂ側の内側に腹側布部１０を外側に配設したものであるから、背側布部３０を肩の位置より若干上に持ってくると、乳幼児Ｂの体の位置を安定させることができる。
【００９２】
上記実施の形態１のベビーキャリアは、更に、背側布部３０を使用しないときに、それを格納する格納部４０を腹側布部１０に設けたものである。本発明を実施する場合には、背側布部３０を使用しないときに、腹側布部１０を格納する格納部４０は、折り畳みまたは巻き付けて保持するもの、ポケットに収納するもののいずれでもよい。特に、背側布部３０を使用しないときに、それを格納する格納部４０を腹側布部１０に設けたものであるから、コンパクトに背側布部３０を収納できる。
【００９３】
実施の形態の背側布部３０の下部及び腹側布部１０の下部を一体化、または背側布部３０の下部を分離自在とし、腹側布部１０の下部と共に一体化した補助布部８０と、背側布部３０側の接着布７５及び腰ベルト部２０側の接着布７６からなる保持部９０は、本発明を実施する場合には、任意に選択して補助布部８０、保持部９０を使用できる。
また、背側布部３０の下部及び腹側布部１０の下部を一体化、または背側布部３０の下部を分離自在とし、腹側布部１０の下部と共に一体化した親Ｍ側の腰回りに配設する腰ベルト部２０についても、腰ベルト部２０を省略する形態とすることもできる。例えば、格納部４０、保持部９０は腰ベルト部２０に配設することも、補助布部８０に配設することもできる。
【００９４】
本実施の形態２及び実施の形態３のベビーキャリアは、乳幼児Ｂの身体の背側にあてがわれるときには背側布部３０になり、また、乳幼児Ｂの身体の腹側にあてがわれるときには、背側布部３０の横幅よりも幅狭に調節して、その調節状態を調節保持部１２０によって維持する腹側布部１０になる背腹共通布部１００と、背腹共通布部１００の上部に一端が固着され、親Ｍ側の肩に回すだけの距離に他端を設定し、背腹共通布部１００の側部に固着してなる一対の肩ベルト部５０と、背腹共通布部１００の下部と一体化し、少なくとも一体化した布部の下部と共に親側の腰回りに配設する腰ベルト部２０とを具備するものである。
【００９５】
したがって、乳幼児Ｂを抱いたり、おんぶしたりする際に、その親Ｍと乳幼児Ｂの向きの関係は、常に乳幼児Ｂの前側に背腹共通布部１００の腹側布部１０が、乳幼児Ｂの後側に背腹共通布部１００の背側布部３０が位置し、通常、水平方向に幅狭に形成されている腹側布部１０から、ベビーキャリアから乳幼児Ｂの脚を容易に出すことができるので、乳幼児Ｂの体形に合った抱っこやおんぶの補助ができ、親が気付き難い乳幼児Ｂにかかる負担を軽減できる。また、特に、親Ｍ側の肩に回して固着される一対の肩ベルト部５０及び親Ｍ側の腰回りに配設する腰ベルト部２０によって、一対の肩ベルト部５０と腰ベルト部２０によって乳幼児Ｂの体重をかけることができ、乳幼児Ｂの体重を肩ベルト部５０と腰ベルト部２０に分散でき、親Ｍの肩に加わる負担を軽減できる。
【００９６】
本実施の形態３のベビーキャリアは、乳幼児Ｂの身体の背側にあてがわれるとき背側布部３０になり、乳幼児Ｂの身体の腹側にあてがわれるとき、その一部を左右から調節して、その調節保持部１２０によって調節状態を維持し、背側布部３０の横幅よりも幅狭にする腹側布部１０になる背腹共通布部１００と、背腹共通布部１００の上部に一端が固着され、親側の肩に回すだけの距離を離して他端を背腹共通布部１００の下部側に固着してなる一対の肩ベルト部５０と、背腹共通布部１００の下部と一体化し、肩ベルト部５０の他端に連結される補助布部８０を具備するものである。
【００９７】
したがって、乳幼児Ｂを抱いたり、おんぶしたりする際に、その親と乳幼児Ｂの向きの関係は、常に乳幼児Ｂの前側に背腹共通布部１００の腹側布部１０が、乳幼児Ｂの後側に背腹共通布部１００の背側布部３０が位置し、水平方向に幅狭に形成されている腹側布部１０から乳幼児Ｂの脚がベビーキャリアから容易に出すことができるので、乳幼児Ｂの体形に合った抱っこやおんぶの補助ができ、親が気付き難い乳幼児Ｂにかかる負担を軽減できる。また、背腹共通布部１００と共に一体化された補助布部８０を設けているから、その補助布部８０を介して肩ベルト部５０の他端に連結することができる。このように、補助布部８０を介して肩ベルト部５０の他端に連結したとき、背腹共通布部１００の接続強度が安定化される。また、一対の肩ベルト部５０を堅固に取付けることができ、また、肩ベルト部５０に加わる力の分散ができるから、乳幼児Ｂの体重をバランスよく受けることができる。
【符号の説明】
【００９８】
Ｂ    乳幼児
Ｍ    親
１０    腹側布部
２０    腰ベルト部
３０    背側布部
４０    格納部
５０    肩ベルト部
６０    肩ベルト調整部
８０    補助布部
９０    保持部
１００  背腹共通布部
１０１  調整布
１２０  調節保持部
【図１】
0005753712.tif 000002
【図２】
0005753712.tif 000003
【図３】
0005753712.tif 000004
【図４】
0005753712.tif 000005
【図５】
0005753712.tif 000006
【図６】
0005753712.tif 000007
【図７】
0005753712.tif 000008
【図８】
0005753712.tif 000009
【図９】
0005753712.tif 000010
【図１０】
0005753712.tif 000011
【図１１】
0005753712.tif 000012
【図１２】
0005753712.tif 000013
【図１３】
0005753712.tif 000014
【図１４】
0005753712.tif 000015
【図１５】
0005753712.tif 000016